(57)【特許請求の範囲】
【請求項１】
表裏両面に画像が記録された原稿を読み取ることが可能な画像複写装置であって、
基準クロックにより駆動され、前記原稿の表面画像を読み取る第１のラインイメージセンサと、
前記基準クロックにより駆動され、前記原稿の裏面画像を読み取る第２のラインイメージセンサと、
前記第１のラインイメージセンサから出力された表面画像信号をＡ／Ｄ変換して表面画像データを出力する第１の画像処理回路と、
前記第２のラインイメージセンサから出力された裏面画像信号をＡ／Ｄ変換して裏面画像データを出力する第２の画像処理回路と、
前記基準クロックに従って、前記第１の画像処理回路から出力された前記表面画像データ及び前記第２の画像処理回路から出力された前記裏面画像データを１画素毎に交互に選択するセレクタと、
前記セレクタから出力された前記表面画像データ及び前記裏面画像データの一方を、インバータを介した前記基準クロックに従って記憶する第１のメモリと、
前記セレクタから出力された前記表面画像データ及び前記裏面画像データの他方を、前記基準クロックに従って記憶する第２のメモリと、
前記第１のメモリを介した前記表面画像データ及び前記裏面画像データの一方を用紙の上に印刷し、前記第２のメモリを介した前記表面画像データ及び前記裏面画像データの他方を用紙上に印刷するプリンタと、
を有することを特徴とする画像複写装置。
【請求項２】
さらに、原稿を搬送する原稿搬送機構を備えたことを特徴とする請求項１に記載の画像複写装置。
【請求項３】
前記第２のラインイメージセンサは、前記原稿搬送機構に内蔵されることを特徴とする請求項２に記載の画像複写装置。
【請求項４】
前記第１のラインイメージセンサによる表面画像の読み取りが開始された後に前記第２のラインイメージセンサによる裏面画像の読み取りが開始されるように前記第１のラインイメージセンサと前記第２のラインイメージセンサとは原稿の搬送方向において離れて配置されることを特徴とする請求項２に記載の画像複写装置。
【発明の詳細な説明】
【０００１】
【発明の属する技術分野】
本発明は、原稿の表面と裏面を同時ないしはほぼ同時に読み取ることができる画像読取装置を用いた画像複写装置に関する。
【０００２】
【従来の技術】
従来、両面原稿を読み取る際には、ＡＤＦ内部に原稿反転機構を備え、まず原稿表面を画像読み取り装置側で読み取り、読み取り終了後ＡＤＦ内部の原稿反転機構により原稿を反転し、原稿裏面の読み取りを画像読み取り装置側で読み取るという動作を行い、両面原稿画像を読み取っていた。
【０００３】
しかし、この構成では原稿を反転する時間は、読み取り装置としてのデッドタイムとなり、読み取りパフォーマンスを低下させるし、原稿を反転させるために原稿にダメージを与えることが少なくなかった。
この問題に鑑み、近年ＡＤＦ内部に読み取り系を装備し、１回の原稿搬送動作によって表面画像と裏面画像を読み取る１パス両面画像読み取り装置が提案されている。
【０００４】
１パス両面画像読み取り装置の読み取り動作について説明する。
【０００５】
図２は１パス両面読み取り装置の概略構成図を示す図である。
【０００６】
ＡＤＦ７０の原稿載置台７１に載置された複数枚数の両面原稿は１枚ずつ搬送される。搬送経路は分離ローラ７２及び７３によって原稿が１枚ずつ分離搬送され、搬送ローラ７５の矢印方向の回動に従って搬送ガイド７４及び７７に沿って原稿が搬送される。
【０００７】
原稿が読み取り位置に搬送されるまでに、読み取り部２００はシェーディング補正板２１１の直下に移動し、シェーディング補正を実施する。シェーディング補正が終了すると、読み取り部２００は、流し読みウインドウ２１２の直下に移動し、原稿が搬送されてくるまで読み取り待機状態となる。
【０００８】
原稿が搬送されると、原稿の表面画像は搬送ローラ７５の直下で読み取りが行われる。即ち、画像読み取り装置２００内のランプ２０１で照明された原稿画像のラインイメージは、第１ミラー２０５、第２ミラー２０６、第３ミラー２０７、レンズ２０８を介してＣＣＤ２０９に結像し、ラインイメージの読み取りが行われる。搬送ローラ７５は所定の速度で原稿を搬送し、原稿を副走査方向の読み取りが順次行われ、原稿の表面画像の読み取りが行われる。表面原稿画像の読み取りが進行するとともに、等倍読み取りボックス２５０の直下に原稿端部が搬送されると、等倍読み取りボックス２５０によって原稿裏面の画像が読み取られる。等倍読み取りボックス２５０の光学系はセルフォックレンズ２５１、コンタクトセンサ２５２、ランプ２５３によって構成されており、ランプ２５３で照明された原稿裏面画像のラインイメージはセルフォックレンズ２５１を介してコンタクトセンサ２５２上に結像する。コンタクトセンサに結像するラインイメージは等倍のイメージである。搬送ローラ７５は所定の速度で原稿を搬送しているので、原稿の副走査方向の読み取りが順次行われ、原稿の裏面画像の読み取りが行われる。読み取りが終了した両面原稿は排紙トレイ部７８に順次排紙される。
【０００９】
このようにして読み取られた表面及び裏面の画像データは不図示の画像処理回路に送られ、画像読み取り装置に接続されたホストコンピュータやプリンタなどによって画像が再生され、ディスプレイやプリント用紙上に画像を形成されるように画像形成処理される。
【００１０】
【発明が解決しようとする課題】
前述のように、両面原稿を同時に読み取るリーダが接続されたプリンタによって、画像複写が行われる場合、リーダが同時に両面画像を読み取っても、プリンタ側で同時に両面画像の印字が行えないために、リーダは、画像データバス幅が片面原稿読み取り時と同じバス幅の場合、表面の印字が終了するまで裏面の画像データを送出することができず、ほぼ１面分の容量をもつバッファメモリに裏面原稿の画像データを蓄積しておいて、表面のデータ送出が終わってからバッファメモリに蓄積した裏面原稿の画像データを送出する、という手段をとらざるを得ず、バッファメモリ分のコストアップが大きな問題であった。この問題を解決するためには、表面画像データ送出用と裏面画像データ送出用の２系統のデータバスを持つようにすればよいが、近年の画像データの多ビット化を考慮するとリーダとプリンタを接続するケーブルが極端に太くなり、現実的ではない。
【００１１】
また、プリンタが順番に表面画像→裏面画像の印字を行うため、リーダは、１枚目の両面原稿の読み取りが終了した後、次の原稿の読み取り開始までに、ほぼ１面分の印字時間の間、動作待機させられることになるので、両面同時読み取りというリーダ本来のパフォーマンスを発揮できていなかった。
【００１２】
【課題を解決するための手段】
上記問題点に鑑み、本発明の画像複写装置は、表裏両面に画像が記録された原稿を読み取ることが可能な画像複写装置であって、基準クロックにより駆動され、前記原稿の表面画像を読み取る第１のラインイメージセンサと、前記基準クロックにより駆動され、前記原稿の裏面画像を読み取る第２のラインイメージセンサと、前記第１のラインイメージセンサから出力された表面画像信号をＡ／Ｄ変換して表面画像データを出力する第１の画像処理回路と、前記第２のラインイメージセンサから出力された裏面画像信号をＡ／Ｄ変換して裏面画像データを出力する第２の画像処理回路と、前記基準クロックに従って、前記第１の画像処理回路から出力された前記表面画像データ及び前記第２の画像処理回路から出力された前記裏面画像データを１画素毎に交互に選択するセレクタと、前記セレクタから出力された前記表面画像データ及び前記裏面画像データの一方を、インバータを介した前記基準クロックに従って記憶する第１のメモリと、前記セレクタから出力された前記表面画像データ及び前記裏面画像データの他方を、前記基準クロックに従って記憶する第２のメモリと、前記第１のメモリを介した前記表面画像データ及び前記裏面画像データの一方を用紙の上に印刷し、前記第２のメモリを介した前記表面画像データ及び前記裏面画像データの他方を用紙上に印刷するプリンタとを有することを特徴とする。
【００１３】
【発明の実施の形態】
（実施形態１）
本発明の実施形態を図に従って説明する。
【００１４】
図３は、本発明を実施した画像複写装置の簡単なブロック図である。
【００１５】
図２と同じ部材には同一部番を付している。図３に示したブロック図の概略動作を説明する。ＣＣＤ２０９で両面原稿のうち、表面画像の読み取りが行わると画像処理回路３１は所定の画像処理が施され、セレクタ３３のＡ端子に１０ビットのデジタルデータとして入力する。一方、コンタクトセンサ２５０で両面原稿のうち、裏面画像の読み取りが行わると画像処理回路３２は所定の画像処理が施され、セレクタ３３のＢ端子に１０ビットのデジタルデータとして入力する。
【００１６】
セレクタ３３へは、ＣＣＤ２０９とコンタクトセンサ２５０を駆動する基準クロックであるＶＣＬＫがゲート３５を介して端子Ａ＊／Ｂに入力している。
【００１７】
端子Ａ＊／Ｂの信号が０の時は端子Ａに入力している信号が端子Ｙから出力され、端子Ａ＊／Ｂの信号が１の時は端子Ｂに入力している信号が端子Ｙから出力される。
【００１８】
ゲート３５の２入力のうちのもう一方には、不図示ＣＰＵによって制御される信号「片＊／両」が入力している。信号「片＊／両」が０の場合は、ＶＣＬＫの論理に依存せず、端子Ａ＊／Ｂへの入力は常に０となり、セレクタ３３の出力は常にＡ端子入力信号が出力する。信号「片＊／両」が１の場合は、ＶＣＬＫが０の時は、セレクタ３３の出力はＡ端子入力信号が選択出力され、ＶＣＬＫが１の時は、セレクタ３３の出力はＢ端子入力信号が選択出力される。
【００１９】
基準クロックＶＣＬＫはプリンタ部にも送出され、画像信号の取り込みクロックとして使用される。
【００２０】
また、プリンタへは信号ＨＳＹＮＣも送出され、画像データの同期信号として使用される。
【００２１】
以上、図３で説明した各信号のタイミングチャートを図１に示す。
【００２２】
図１は両面原稿を読み取った場合のタイミングチャートである。
【００２３】
図３に記した信号線に付した番号と同一の信号には同じ番号を付している。
【００２４】
ここでは、信号「片＊／両」は１固定となっている。図１に明らかなように、クロックあたりの信号送出レートがＣＣＤ２０９や、コンタクトセンサ２５０の２倍になっているので、片面原稿とほぼ同じ時間内に両面分の画像転送ができることがわかる。
【００２５】
ＨＳＹＮＣは主走査同期信号であり、０→１のイベントを検出し、以降の送出されるデータのどのタイミングから有効データであるかを示す信号である。
【００２６】
図１の例では、ＣＣＤ２０９の有効タイミングは０画素目から、コンタクトセンサ２５０の有効タイミングはｎ画素目からとする。
【００２７】
図２の構成図から明らかなように、ＣＣＤ２０９の読み取り位置と、コンタクトセンサ２５０の読み取り位置は組み立て終了時点で固定となり、調整工程でＣＣＤ２０９の読み取り位置とコンタクトセンサ２５０の読み取り位置の距離に相当する画素数を算出することにより、主走査同期信号ＨＳＹＮＣを２系統用意する必要はなく、図１、または図２に示すように１系統のＨＳＹＮＣで充分である。
【００２８】
即ち、リーダとプリンタを接続する信号線本数は片面原稿読み取り時と全く同じ本数で本発明を実現することができる。
【００２９】
以上の構成で、片面原稿を読み取る場合のタイミングチャートを図１に習って図４に示す。
【００３０】
図４では、信号「片＊／両」は０固定となっている。図１に明らかなように、クロックあたりの信号送出レートがＣＣＤ２０９や、コンタクトセンサ２５０と同じになっているので、両面原稿読み取り時と同じ時間内に画像転送ができることがわかる。もちろん片面原稿読み取りなので、コンタクトセンサ２５０の画像データは無視されるため、片面原稿読み取り時はコンタクトセンサ２５０の駆動を停止してもよい。
【００３１】
以上の手順で送出されたリーダからの画像データは、プリンタ部３４に送出される。プリンタ部３４の概略図を図５に示す。
【００３２】
図５では、リーダから送出された信号、ＤＡＴＡ、ＶＣＬＫ、ＨＳＹＮＣが入力する。
【００３３】
ＤＡＴＡは、表面画像用メモリ５１及び裏面画像用メモリ５２に入力する。ＶＣＬＫは、インバータ５４を介して表面画像用メモリ５１に、また直接裏面画像用メモリ５２に入力する。ＨＳＹＮＣはイネーブル発生回路５３に入力し、有効画像データ区間信号を発生させ、表面画像用メモリ５１及び裏面画像用メモリ５２に入力する。
【００３４】
図６に、両面原稿読み取り時の図５における主要信号のタイミングを表すタイミングチャートを示す。
【００３５】
リーダから送出された画像データＤＡＴＡは、メモリ５１とメモリ５２に入力する。メモリ５１への書き込みタイミングはメモリ５１のＷＲ＊端子への立ち上がりエッジ（以降↑と記す）で決定する。メモリ５１のＷＲ＊端子にはインバータ５４を介したＶＣＬＫの反転信号５０１が入力するので、表面画像データと裏面画像データが点順次でフォーマットされているＤＡＴＡのうち、表面データ（ＣＤ＊＊）のみが格納される。一方、メモリ５２への書き込みタイミングはメモリ５２のＷＲ＊端子への↑で決定する。メモリ５２のＷＲ＊端子にはＶＣＬＫが入力するので、表面画像データと裏面画像データが点順次でフォーマットされているＤＡＴＡのうち、裏面データ（ＣＳ＊＊）のみが格納される。また、リーダから送出される信号ＨＳＹＮＣはイネーブル発生回路５３に入力し、メモリ５１及びメモリ５２のＣＥ＊端子に入力するメモリイネーブル信号５０２及び５０３を発生する。図６においては、ＣＣＤ２０９のＣＤ０２〜ＣＤ（ｍ）までが有効画像データとなり、メモリ５１への格納が実施される。また、コンタクトセンサ２５０のＣＳ（ｎ）〜ＣＳ（ｍ＋ｎ）までが有効画像データとなり、メモリ５２への格納が実施される。
【００３６】
このような構成をとることにより、点順次でフォーマットされている表面画像データと裏面画像データを分離することができる。分離された表面画像データは、画像処理回路５５を介して１ビットの画像データに２値化処理されたうえで、プリンタ５８に送出し表面画像の印字が実行される。一方裏面画像データは画像処理回路５６を介してバッファメモリ５７に一旦格納され、表面画像の印字が終了次第、バッファメモリ５７からデータ送出を開始し、裏面画像の印字を開始する。
【００３７】
【発明の効果】
以上説明したように、本発明によれば、高価なメモリを大量に具備することなく、かつ少ない信号線で、リーダの読み取りパフォーマンスを損なうことなく両面原稿の読み取りを可能にできるので、ローコストで高速な両面原稿の読み取りが可能になる。
【図面の簡単な説明】
【図１】本発明を実施した構成のタイミングチャート。
【図２】ＡＤＦを搭載した画像読取り装置の構成を表す図。
【図３】ＣＣＤとコンタクトセンサからのデータの流れを示す概略ブロック図。
【図４】片面原稿を読み取る場合のタイミングチャート。
【図５】本発明を実施したリーダに接続されるプリンタの概略ブロック図。
【図６】プリンタ側の主要信号のタイミングチャート。
【符号の説明】
２００  読取り部
２０１  原稿照明ランプ
２０３  原稿ガラス台
２０５  第１ミラー
２０６  第２ミラー
２０７  第３ミラー
２０８  レンズ
２０９  ＣＣＤ
２１１  シェーディング補正板
２１２  流し読みウインドウ
【図１】
0004011957.tif 000002
【図２】
0004011957.tif 000003
【図３】
0004011957.tif 000004
【図４】
0004011957.tif 000005
【図５】
0004011957.tif 000006
【図６】
0004011957.tif 000007